(57)【要約】      （修正有）【課題】主発言者が用いる会議端末装置を簡易に特定し、主発言者の発言音声を、他の会議出席者からの音声の音量レベルより相対的に大きく音声出力させる、テレビ会議システムを提供する。【解決手段】テレビ会議システム１００は、ネットワークＮＷを介して接続された少なくとも３個以上の会議端末装置２０，３０，３２を含む。テレビ会議用の参考資料データを格納する会議端末装置２０は、会議端末装置２０を用いる主発言者の発言音声を収音し、主発言者の権限を有する会議端末装置２０の情報を含む参考資料情報を生成して送信する。会議端末装置３０は、送信された発言音声の音声信号及び参考資料情報と、他の会議端末装置から送信された音声信号とを受信し、参考資料情報を基に、主発言者の権限を有する会議端末装置２０から送信された発言音声の音声信号を、他の会議端末装置３０，３２から送信された音声信号の音量レベルより大きく音声出力させる。【選択図】図１
2014220649.tif 000002
【特許請求の範囲】
【請求項１】
ネットワークを介して接続された少なくとも３個以上の会議端末装置を含み、
第１の会議端末装置は、
テレビ会議用の参考資料データを格納する参考資料格納部と、
前記第１の会議端末装置を用いる主発言者の発言音声を収音する収音部と、
前記参考資料データに応じて、前記主発言者の権限を有する会議端末装置の情報を含む参考資料情報を生成する参考資料情報生成部と、
収音された前記発言音声の音声信号と生成された前記参考資料情報とを送信する送信部と、を備え、
第２の会議端末装置は、
送信された前記発言音声の音声信号及び前記参考資料情報と、前記第１の会議端末装置を除く他の会議端末装置から送信された他の会議出席者の音声信号とを受信する受信部と、
前記参考資料情報を基に、前記主発言者の権限を有する前記第１の会議端末装置から送信された前記発言音声を、前記他の会議端末装置から送信された他の会議出席者の音声信号の音量レベルより大きく音声出力させる音声出力制御部と、を備える、
テレビ会議システム。
【請求項２】
請求項１に記載のテレビ会議システムであって、
各々の前記会議端末装置は、
各々の前記会議端末装置を用いる各会議出席者の画像を撮像する撮像部、を更に備え、撮像された前記各会議出席者の撮像画像信号を送信し、
前記第２の会議端末装置は、
前記第１の会議端末装置から送信された第１の撮像画像信号と、前記第２の会議端末装置自身により撮像された第２の撮像画像信号と、前記他の会議端末装置から送信された第３の撮像画像信号とのうち、前記主発言者の権限を有する前記第１の会議端末装置から送信された第１の撮像画像信号を、前記第２の撮像画像信号及び前記第３の撮像画像信号より大きく表示させる画像出力制御部を、更に備える、
テレビ会議システム。
【請求項３】
請求項１に記載のテレビ会議システムであって、
前記第１の会議端末装置は、
前記主発言者の権限を有する会議端末装置を、前記第１の会議端末装置を除くいずれかの会議端末装置に委譲する権限委譲処理部、を更に備え、委譲後の前記会議端末装置の情報を含む参考資料情報を送信し、
前記第２の会議端末装置は、
委譲後の前記会議端末装置の情報を含む参考資料情報を基に、委譲後の前記会議端末装置から送信された新たな主発言者の発言音声を、他の会議端末装置から送信された他の会議出席者の音声信号の音量レベルより大きく音声出力させる、
テレビ会議システム。
【請求項４】
請求項３に記載のテレビ会議システムであって、
各々の前記会議端末装置は、
委譲後の前記会議端末装置から送信された第４の撮像画像信号と、各々の前記会議端末装置自身により撮像された第５の撮像画像信号と、前記他の会議端末装置から送信された第６の撮像画像信号とのうち、前記主発言者の権限を有する会議端末装置の委譲後の前記会議端末装置から送信された前記第４の撮像画像信号を、前記第５の撮像画像信号及び前記第６の撮像画像信号より大きく表示させる、
テレビ会議システム。
【請求項５】
請求項３に記載のテレビ会議システムであって、
前記参考資料情報は、
前記主発言者の権限の被委譲が禁止される会議端末情報の情報、を更に含み、
各々の前記会議端末装置は、
前記参考資料情報を基に、前記主発言者の権限の被委譲が禁止された会議端末装置から送信された他の会議出席者の音声信号をミュート処理する、
テレビ会議システム。
【発明の詳細な説明】
【技術分野】
【０００１】
本発明は、例えば双方向型のテレビ会議に用いられ、テレビ会議における主発言者の音声信号の音量レベルと、主発言者以外の会議出席者の音声信号の音量レベルとを調整するテレビ会議システムに関する。
【背景技術】
【０００２】
近年、カメラ及びマイクを含む会議端末装置（例えばスマートフォン又はタブレット端末）の利用が急速に広まっている。このような会議端末装置は、例えば企業内のテレビ会議においても利用され始めている。従来のテレビ会議では、会議出席者はテレビ会議用設備が備えられた専用会議室に居る必要があったが、例えばネットワークに接続された会議端末装置を会議出席者が個々に用いることで、会議出席者は、専用会議室に居なくてもそれぞれ離れた場所においてテレビ会議に参加できる。
【０００３】
ここで、複数の会議出席者が、ネットワークを介して接続された端末装置を個々に用いて参加するネットワーク会議に関する先行技術として、例えば特許文献１に示すネットワーク会議システムが知られている。特許文献１に示すネットワーク会議システムでは、主催者用端末装置は、主催者用端末装置自身及び複数の参加者用端末装置から、同会議にて発表行為を行う発表者が用いる発表者用端末装置を選択し、発表者用端末装置でのみ利用可能な所定のアプリケーションを実行させ、更に、発表者用端末装置以外の端末装置では同アプリケーションを実行させないように制御する。
【０００４】
これにより、特許文献１に示すネットワーク会議システムは、主催者の議長としての役割を徹底させることができ、会議進行の非効率化を防止でき、更に、発表者用端末装置でのみ所定のアプリケーションを実行させるので、会議資料の不一致及び改ざんのリスクを排除することができる。
【先行技術文献】
【特許文献】
【０００５】
【特許文献１】特開２００３−１６３９０７号公報
【発明の概要】
【発明が解決しようとする課題】
【０００６】
複数の会議出席者が、ネットワークを介して接続された端末装置を個々に用いて参加するネットワーク会議（例えばテレビ会議）では、会議の議題に関する事項を主に説明する発表者（以下、「主発言者」という）がスピーチしている間、主発言者以外の他の会議出席者が口を挟むことがある。この場合、他の会議出席者が話した音声が各端末装置に送信されてしまい、主発言者のスピーチの内容が聞き取れず、テレビ会議を円滑に進行させることが困難となる場合があった。
【０００７】
上述した特許文献１では、主発言者がスピーチしている間に主発言者以外の他の会議出席者が口を挟んだ場合、主発言者の音声信号の音量レベルを調整することは想定されていない。このため、主発言者のスピーチの内容が聞き取れずに、テレビ会議を円滑に進行させることが困難であるという課題があった。
【０００８】
また、特許文献１では、会議の主催者が居ることを想定されており、会議を主催する人が主発言者と主発言者でない一般参加者との権限を割り振るという煩雑な作業を行う必要があった。特に多数の拠点間においてネットワーク会議を行う場合には、主催者の権限の割り振り処理量は多くなるので、煩雑な作業が必要となってくる。
【０００９】
本発明は、上述した従来の課題を解決するために、ネットワークを介して接続された少なくとも３個以上の会議端末装置を用いたテレビ会議において、主発言者が用いる会議端末装置を簡易に特定し、主発言者の発言音声を、他の会議出席者からの音声の音量レベルより相対的に大きく音声出力させてテレビ会議を円滑に行うテレビ会議システムを提供することを目的とする。
【課題を解決するための手段】
【００１０】
本発明は、ネットワークを介して接続された少なくとも３個以上の会議端末装置を含み、第１の会議端末装置は、テレビ会議用の参考資料データを格納する参考資料格納部と、前記第１の会議端末装置を用いる主発言者の発言音声を収音する収音部と、前記参考資料データに応じて、前記主発言者の権限を有する会議端末装置の情報を含む参考資料情報を生成する参考資料情報生成部と、収音された前記発言音声の音声信号と生成された前記参考資料情報とを送信する送信部と、を備え、第２の会議端末装置は、送信された前記発言音声の音声信号及び前記参考資料情報と、前記第１の会議端末装置を除く他の会議端末装置から送信された他の会議出席者の音声信号とを受信する受信部と、前記参考資料情報を基に、前記主発言者の権限を有する前記第１の会議端末装置から送信された前記発言音声を、前記他の会議端末装置から送信された他の会議出席者の音声信号の音量レベルより大きく音声出力させる音声出力制御部と、を備えるテレビ会議システムである。
【発明の効果】
【００１１】
本発明によれば、ネットワークを介して接続された少なくとも３個以上の会議端末装置を用いたテレビ会議において、主発言者が用いる会議端末装置を簡易に特定し、主発言者の発言音声を、他の会議出席者からの音声の音量レベルより相対的に大きく音声出力させてテレビ会議を円滑に行うことができる。
【図面の簡単な説明】
【００１２】
【図１】テレビ会議システムのシステム構成の一例を示すブロック図
【図２】第１の実施形態の主発言者の権限を有する会議端末装置２０の内部構成を示すブロック図
【図３】第１の実施形態の主発言者の権限を有さない会議端末装置３０，３２の内部構成を示すブロック図
【図４】第１の実施形態における参考資料情報の内部構成の一例を示す図
【図５】第１の実施形態における主発言者の権限を有する会議端末装置２０から、主発言者の権限を有さない会議端末装置３０，３２への送信シーケンスを説明するシーケンス図
【図６】第１の実施形態における主発言者の権限を有さない会議端末装置３０，３２における、主発言者の権限を有する会議端末装置２０からの受信シーケンスを説明するシーケンス図
【図７】第１の実施形態における主発言者の権限を有さない会議端末装置３０，３２から、主発言者の権限を有する会議端末装置２０への送信シーケンスを説明するシーケンス図
【図８】第１の実施形態における主発言者の権限を有さない会議端末装置３０，３２における、主発言者の権限を有する会議端末装置２０からの受信シーケンスを説明するシーケンス図
【図９】第１の実施形態における各会議端末装置のディスプレイの表示内容の一例を示す図
【図１０】（Ａ）第１の実施形態における主発言者の権限の説明図、（Ｂ）第２の実施形態における主発言者の権限の委譲の説明図
【図１１】第２の実施形態の会議端末装置２０Ａ，３０Ａ，３２Ａの内部構成の一部を示すブロック図
【図１２】第２の実施形態において主発言者の権限の委譲元となる会議端末装置におけるディスプレイの表示内容の一例を示す図
【図１３】（Ａ）第２の実施形態における主発言者の権限の委譲処理前における参考資料情報の内部構成の一例を示す図、（Ｂ）第２の実施形態における主発言者の権限の委譲処理後における参考資料情報の内部構成の一例を示す図
【図１４】第２の実施形態における主発言者の権限の委譲元となる会議端末装置２０Ａが、更新した参考資料情報を他の会議端末装置３０Ａ，３２Ａに送信する動作手順を説明するフローチャート
【図１５】第２の実施形態における主発言者の権限の委譲先となる会議端末装置３０Ａが、委譲元となる会議端末装置２０Ａから送信された参考資料情報を受信する動作手順を説明するフローチャート
【図１６】第２の実施形態における各会議端末装置のディスプレイの表示内容の一例を示す図
【図１７】第３の実施形態における参考資料情報の内部構成の一例を示す図
【図１８】第３の実施形態の会議端末装置３０Ａが、主発言者の権限の委譲元としての会議端末装置２０Ａから参考資料情報を受信した動作手順を説明するフローチャート
【発明を実施するための形態】
【００１３】
以下、本発明に係るテレビ会議システムの各実施形態について、図面を参照して説明する。各実施形態のテレビ会議システムにおいて用いられる会議端末装置は、例えば携帯電話機、スマートフォン、タブレット端末又はＰＤＡ（Personal Digital Assistant）である。
【００１４】
各実施形態では、本発明に係るテレビ会議システムの使用形態の一例として、例えば企業内又は企業間の複数の会議出席者が会議端末装置を個々に用いてテレビ会議を進行するシチュエーションを説明する。但し、各実施形態の会議端末装置の使用方法は以下の各実施形態における使用形態に限定されない。
【００１５】
なお、本発明は、テレビ会議システムにおいて用いられる会議端末装置、又は、会議端末装置が行う各動作（ステップ）を有する音声出力方法或いは画像表示方法として表現することも可能である。更に、本発明は、コンピュータとしての会議端末装置が行う各動作（ステップ）を、会議端末装置に内蔵されるプロセッサ（例えばＣＰＵ（Central Processing Unit）、ＭＰＵ（Micro Processing Unit）、ＤＳＰ（Digital Signal Processor））に実行させるためのプログラムとして表現しても良い。
【００１６】
（第１の実施形態）
第１の実施形態では、例えば同一社内における複数の拠点間（例えばＫＫ県の拠点、ＬＬ県の拠点、ＭＭ県の拠点）においてテレビ会議を行うシチュエーションを説明する（図１参照）。図１は、テレビ会議システムのシステム構成の一例を示すブロック図である。また本実施形態では、テレビ会議における発表用の参考資料データを参考資料格納部１１１において予め格納している会議端末装置２０（図１参照）が、テレビ会議における主発言者の権限を有する。
【００１７】
先ず、図１を参照して、少なくとも３個以上の会議端末装置２０，３０，３２を含むテレビ会議システム１００における各会議端末装置の動作概要について簡単に説明する。
【００１８】
テレビ会議システム１００は、例えば３個の会議端末装置２０と、会議端末装置３０と、会議端末装置３２とを有するが、３個の会議端末装置２０，３０，３２だけの構成に限定されず他の会議端末装置を含んでもよい。各会議端末装置２０，３０，３２は、それぞれネットワークＮＷを介して接続されている。ネットワークＮＷは、無線ネットワークでも良いし、有線ネットワークでも良い。
【００１９】
以下の各実施形態では、会議端末装置２０は会議出席者ＵＡにより使用され、会議端末装置３０は会議出席者ＵＢにより使用され、会議端末装置３２は会議出席者ＵＣにより使用され、例えば会議出席者ＵＡはテレビ会議の主発言者であり、会議出席者ＵＢ，ＵＣはテレビ会議のオブザーバであるとして説明する。なお、各々の会議端末装置２０，３０，３２は、１人の会議出席者ＵＡ，ＵＢ，ＵＣにより使用されず、例えば複数の会議出席者により共用されても良い。
【００２０】
本実施形態では、テレビ会議の間、主発言者である会議出席者ＵＡ（以下、本実施形態において「主発言者ＵＡ」と略記する）が用いる会議端末装置２０は、主発言者ＵＡの発言内容を含む発言音声の音声信号と、主発言者ＵＡの撮像画像（例えば会議端末装置２０により撮像された顔画像）と、参考資料格納部１１１に格納されている参考資料データに応じた参考資料情報（後述参照）とを他の会議端末装置３０，３２に送信する。
【００２１】
また、オブザーバである会議出席者ＵＢ（以下、本実施形態において「オブザーバＵＢ」と略記する）が用いる会議端末装置３０は、オブザーバＵＢがテレビ会議の内容に対して口を挟んで話した小言の音声信号と、オブザーバＵＢの撮像画像（例えば会議端末装置３０により撮像された顔画像）とを他の会議端末装置２０，３２に送信する。
【００２２】
また、オブザーバである会議出席者ＵＣ（以下、本実施形態において「オブザーバＵＣ」と略記する）が用いる会議端末装置３２は、オブザーバＵＣがテレビ会議の内容に対して口を挟んで話した小言の音声信号と、オブザーバＵＣの撮像画像（例えば会議端末装置３２により撮像された顔画像）とを他の会議端末装置２０，３０に送信する。
【００２３】
更に、オブザーバＵＢ，ＵＣがそれぞれ用いる会議端末装置３０，３２は、主発言者ＵＡの発言音声の音声信号を、オブザーバＵＣ，ＵＢの小言の音声信号の音量レベルより大きく音声出力させ、更に、主発言者ＵＡの顔画像を、主発言者ＵＡを除く他の会議出席者（オブザーバＵＢ，ＵＣ）の顔画像より大きく表示させる。
【００２４】
なお、図１では、図面を簡単にするために、会議端末装置２０から会議端末装置３２への矢印、会議端末装置３０から会議端末装置２０，３２への矢印、及び会議端末装置３２から会議端末装置２０への矢印の図示を省略している。
【００２５】
以下、各々の会議端末装置２０，３０，３２の内部構成について、図２及び図３を参照して説明する。図２は、第１の実施形態の主発言者の権限を有する会議端末装置２０の内部構成を示すブロック図である。図３は、第１の実施形態の主発言者の権限を有さない会議端末装置３０，３２の内部構成を示すブロック図である。
【００２６】
先ず、図２に示す会議端末装置２０の構成及び動作について説明する。
【００２７】
図２に示す会議端末装置２０は、カメラ１１０と、参考資料格納部１１１と、カメラ画像入力Ｉ／Ｆ１１２と、参考資料入力Ｉ／Ｆ１１３と、画像エンコーダ１１４と、参考資料情報生成部１１５と、マイク１２０と、音声入力Ｉ／Ｆ１２２と、音声エンコーダ１２４と、多重化部１３０と、無線送信部１４０と、ディスプレイ２１０と、画像出力Ｉ／Ｆ２１２と、画像デコーダ２１４と、参考資料情報抽出部２１５と、スピーカ２２０と、音声出力Ｉ／Ｆ２２２と、音声デコーダ２２４と、分離部２３０と、無線受信部２４０と、制御部３００と、入力部４００とを含む。制御部３００は、参考資料情報格納部５００を含む。
【００２８】
撮像部の一例としてのカメラ１１０は、例えば入力部４００を介して入力された撮像操作に応じて、カメラ１１０の画角（視野角）の範囲に含まれる主発言者ＵＡ、即ち会議端末装置２０を用いる会議出席者ＵＡを撮像する。撮像された主発言者ＵＡの撮像画像信号（撮像画像、例えば顔画像）は、カメラ画像入力Ｉ／Ｆ１１２に入力される。
【００２９】
参考資料格納部１１１は、テレビ会議における発表用の参考資料データを予め格納する。なお本実施形態では、参考資料格納部１１１は、テレビ会議における主発言者の権限を有する会議端末装置２０には設けられるが、主発言者の権限を有さない会議端末装置３０，３２には設けられない。
【００３０】
カメラ画像入力Ｉ／Ｆ（interface）１１２は、制御部３００から出力された制御信号に応じて、カメラ１１０の撮像動作を制御し、カメラ１１０から出力された撮像画像信号を画像エンコーダ１１４に出力する。カメラ画像入力Ｉ／Ｆ１１２は、制御部３００から出力された制御信号に応じて、カメラ１１０から出力された撮像画像信号に対して所定の画像信号処理（例えば符号化処理が可能となるように行われる正規化処理）を施し、所定の画像信号処理後の撮像画像信号を画像エンコーダ１１４に出力する。
【００３１】
参考資料入力Ｉ／Ｆ１１３は、全ての会議端末装置に参考資料を共有するための主発言者ＵＡの入力操作よって制御部３００から出力された制御信号に応じて、参考資料データを参考資料格納部１１１から読み出す。参考資料入力Ｉ／Ｆ１１３は、参考資料データの内容を表す画像データを含む参考資料画像信号を画像エンコーダ１１４に出力し、更に、参考資料データの資料名称、資料在処、及びテレビ会議における主発言者の権限を有する会議端末装置の各情報を参考資料情報生成部１１５に出力する。
【００３２】
画像エンコーダ１１４は、カメラ画像入力Ｉ／Ｆ１１２から出力された撮像画像信号と参考資料入力Ｉ／Ｆ１１３から出力された参考資料画像信号とを符号化処理し、符号化処理後の画像信号を多重化部１３０に出力する。なお、画像エンコーダ１１４における符号化処理の方式及びその内容は、会議端末装置２０，３０，３２において既知である。
【００３３】
参考資料情報生成部１１５は、参考資料入力Ｉ／Ｆ１１３から出力された参考資料データの資料名称、資料在処、及びテレビ会議における主発言者の権限を有する会議端末装置の各情報を含む参考資料情報ＲＥＦ１（図４参照）を生成して制御部３００及び多重化部１３０に出力する。
【００３４】
図４は、第１の実施形態における参考資料情報ＲＥＦ１の内部構成の一例を示す図である。図４に示す参考資料情報ＲＥＦ１は、資料名称と、資料在処と、主発言者の権限を有する会議端末装置の各項目に対応する内容として、例えば「０００１．ｐｎｇ」と、「￥Ｄｏｃｕｍｅｎｔ」と、「会議端末装置２０」との各情報を含む。
【００３５】
収音部の一例としてのマイク１２０は、会議端末装置２０を用いる主発言者ＵＡがテレビ会議の間における発言内容を含む発言音声を収音する。収音された発言音声は、マイク１２０によって電気信号、即ち発言音声の音声信号に変換されて音声入力Ｉ／Ｆ１２２に入力される。
【００３６】
音声入力Ｉ／Ｆ１２２は、制御部３００から出力された制御信号に応じて、マイク１２０から出力された発言音声の音声信号に対して所定の音声信号処理（例えばエコーキャンセル処理、ＡＧＣ（Auto Gain Control）処理、又はノイズキャンセル処理）を施し、所定の音声信号処理後の音声信号を音声エンコーダ１２４に出力する。
【００３７】
音声エンコーダ１２４は、音声入力Ｉ／Ｆ１２２から出力された音声信号を符号化処理し、符号化処理後の音声信号を多重化部１３０に出力する。なお、音声エンコーダ１２４における符号化処理の方式及びその内容は、会議端末装置２０，３０，３２において既知である。
【００３８】
多重化部１３０は、画像エンコーダ１１４から出力された符号化処理後の画像信号と、参考資料情報生成部１１５から出力された参考資料情報ＲＥＦ１と、音声エンコーダ１２４から出力された音声信号とを多重化処理し、多重化処理後の信号を無線送信部１４０に出力する。
【００３９】
送信部の一例としての無線送信部１４０は、多重化部１３０から出力された多重化処理後の信号を、例えば無線通信用の所定周波数帯の信号に変換して他の会議端末装置３０，３２に送信する。
【００４０】
表示部の一例としてのディスプレイ２１０は、カメラ１１０が撮像した撮像画像信号と、他の会議端末装置３０，３２から送信された撮像画像信号、即ちテレビ会議の会議出席者の表情を表す撮像画像信号と、参考資料入力Ｉ／Ｆ１１３から出力された参考資料画像信号とを少なくとも表示する。なお、図２では、図２を簡単にするために、参考資料入力Ｉ／Ｆ１１３からディスプレイ２１０への矢印の図示を省略している。
【００４１】
画像出力制御部の一例としての画像出力Ｉ／Ｆ２１２は、カメラ１１０が撮像した主発言者ＵＡの撮像画像信号と、画像デコーダ２１４から出力された復号処理後の撮像画像信号、即ちテレビ会議のオブザーバＵＢ，ＵＣの各表情を表す撮像画像信号と、参考資料入力Ｉ／Ｆ１１３から出力された参考資料画像信号とをディスプレイ３１０に表示させる。
【００４２】
画像デコーダ２１４は、分離部２３０から出力された画像信号を復号処理し、復号処理後の画像信号を画像出力Ｉ／Ｆ２１２に出力する。なお、画像デコーダ２１４における復号処理の方式及びその内容は、会議端末装置２０，３０，３２において既知である。
【００４３】
参考資料情報抽出部２１５は、分離部２３０における分離処理の結果、他の会議端末装置３０，３２から送信された他の参考資料情報が含まれている場合には、分離部２３０から出力された他の参考資料情報を抽出して制御部３００に出力する。
【００４４】
音声出力部の一例としてのスピーカ２２０は、音声出力Ｉ／Ｆ２２２から出力された音声信号、即ち他の会議端末装置３０，３２を用いる他の会議出席者であるオブザーバＵＢ，ＵＣがテレビ会議の間に話す音声の音声信号を出力する。
【００４５】
音声出力制御部の一例としての音声出力Ｉ／Ｆ２２２は、音声デコーダ２２４から出力された復号処理後のデジタルの音声信号をアナログの音声信号にＤＡ（Digital Analog）変換してスピーカ２２０に出力する。なお、音声出力Ｉ／Ｆ２２２は、ＤＡ変換後の音声信号の音量レベルを調整（増幅又は減衰）してスピーカ３２０に出力しても良い。
【００４６】
音声デコーダ２２４は、分離部２３０から出力された音声信号を復号処理し、復号処理後の音声信号を音声出力Ｉ／Ｆ２２２に出力する。なお、音声デコーダ２２４における復号処理の方式及びその内容は、会議端末装置２０，３０，３２において既知である。
【００４７】
分離部２３０は、無線受信部２４０から出力された多重化処理後の信号を、画像信号と音声信号とに分離し、画像信号を画像デコーダ３１４に出力し、音声信号を音声デコーダ３２４に出力する。なお、分離部２３０は、分離部２３０における分離処理の結果、他の会議端末装置３０，３２から送信された他の参考資料情報が含まれている場合には、画像信号を画像デコーダ２１４に出力し、他の参考資料情報を参考資料情報抽出部２１５に出力し、音声信号を音声デコーダ２２４に出力する。
【００４８】
無線受信部２４０は、例えば他の会議端末装置３０，３２から送信された無線通信用の所定周波数帯の信号を受信し、更に、受信した信号をベースバンドの多重化処理後の信号に変換して分離部２３０に出力する。
【００４９】
制御部３００は、入力部４００に入力された入力操作に応じて、会議端末装置２０の各部を動作させるための制御信号を生成し、会議端末装置２０の各部に制御信号を出力する。制御部３００は、参考資料情報ＲＥＦ１を、制御部３００内の参考資料情報格納部５００に格納する。更に、制御部３００は、他の会議端末装置３０，３２から送信された他の参考資料情報を参考資料情報抽出部２１５から取得して参考資料情報格納部５００に格納する。
【００５０】
入力部４００は、主発言者ＵＡが会議端末装置２０に対する操作を入力するためのユーザインターフェースであり、主発言者ＵＡの操作内容に応じた操作コマンド信号を制御部３００に出力する。入力部４００は、会議端末装置２０がスマートフォン又はタブレット端末である場合には、ディスプレイ２１０の上に配置され、主発言者ＵＡの指又はスタイラスペンによる入力操作を受け付け可能なタッチパネルを用いて構成される。また、入力部４００は、会議端末装置２０が携帯電話機である場合には、電話番号等を入力するテンキー、オンフック又はオフフックを行う通話器キー及びファンクションキー等の各種キーを用いて構成可能である。
【００５１】
次に、図３に示す会議端末装置３０，３２の構成及び動作について、会議端末装置３０を用いて例示的に説明する。なお、図２に示す会議端末装置２０の各部と同様の動作をするものには同様の符号を付して、同様な内容に関する説明は省略又は簡略化し、図２に示す会議端末装置２０と異なる内容について説明する。
【００５２】
図３に示す会議端末装置３０，３２は、撮像部の一例としてのカメラ１１０−２と、カメラ画像入力Ｉ／Ｆ１１２−２と、画像エンコーダ１１４−２と、収音部の一例としてのマイク１２０−２と、音声入力Ｉ／Ｆ１２２−２と、音声エンコーダ１２４−２と、多重化部１３０−２と、無線送信部１４０−２と、表示部の一例としてのディスプレイ２１０−２と、画像出力制御部の一例としての画像出力Ｉ／Ｆ２１２−２と、画像デコーダ２１４−２と、参考資料情報抽出部２１５−２と、スピーカ２２０−２と、音声出力制御部の一例としての音声出力Ｉ／Ｆ２２２−２と、音声デコーダ２２４−２と、分離部２３０−２と、無線受信部２４０−２と、制御部３００−２と、入力部４００−２とを含む。
【００５３】
画像エンコーダ１１４−２は、カメラ画像入力Ｉ／Ｆ１１２−２から出力された撮像画像信号を符号化処理し、符号化処理後の撮像画像信号を多重化部１３０−２に出力する。なお、画像エンコーダ１１４−２における符号化処理の方式及びその内容は、会議端末装置２０，３０，３２において既知である。
【００５４】
多重化部１３０−２は、画像エンコーダ１１４−２から出力された符号化処理後の撮像画像信号と、音声エンコーダ１２４−２から出力された音声信号とを多重化処理し、多重化処理後の信号を無線送信部１４０−２に出力する。
【００５５】
表示部の一例としてのディスプレイ２１０−２は、カメラ１１０−２が撮像した撮像画像信号と、他の会議端末装置２０，３２から送信された参考資料画像信号と、撮像画像信号、即ちテレビ会議の会議出席者の表情を表す撮像画像信号とを少なくとも表示する。なお、図３では、図３を簡単にするために、カメラ１１０−２からディスプレイ２１０−２への矢印の図示を省略している。
【００５６】
画像出力制御部の一例としての画像出力Ｉ／Ｆ２１２−２は、参考資料情報格納部５００−２から読み出した参考資料情報を基に、カメラ１１０−２が撮像したオブザーバＵＢの撮像画像信号と、画像デコーダ２１４−２から出力された復号処理後の画像信号、即ちテレビ会議の主発言者ＵＡ及びオブザーバＵＣの各表情を表す撮像画像信号と参考資料画像信号とをディスプレイ２１０−２に表示させる（図９参照）。
【００５７】
参考資料情報抽出部２１５−２は、分離部２３０−２における分離処理の結果、他の会議端末装置２０，３２（例えば主発言者ＵＡが用いる会議端末装置２０）から送信された参考資料情報が含まれている場合には、分離部２３０−２から出力された参考資料情報を抽出して制御部３００−２に出力する。
【００５８】
音声出力部の一例としてのスピーカ２２０−２は、音声出力Ｉ／Ｆ２２２−２から出力された音声信号、即ち他の会議端末装置２０，３２を用いる他の会議出席者である主発言者ＵＡ，オブザーバＵＣがテレビ会議の間に話す音声の音声信号を出力する。
【００５９】
音声出力制御部の一例としての音声出力Ｉ／Ｆ２２２−２は、音声デコーダ２２４−２から出力された復号処理後のデジタルの音声信号をアナログの音声信号にＤＡ（Digital Analog）変換してスピーカ２２０−２に出力する。音声出力Ｉ／Ｆ２２２−２は、参考資料情報格納部５００−２から読み出した参考資料情報を基に、ＤＡ変換後の音声信号のうち、主発言者ＵＡの発言音声を、オブザーバＵＣの音声（小言）の音声信号の音量レベルより相対的に大きく音声出力させる。
【００６０】
これにより、オブザーバＵＢが用いる会議端末装置３０は、テレビ会議における主発言者ＵＡの発言音声を、他の会議出席者（例えばオブザーバＵＣ）がテレビ会議の間に口を挟むようにして話した小言の音声信号の音量レベルより大きく音声出力するので、主発言者ＵＡの発言音声を正確に聞き取ることができ、オブザーバＵＢをテレビ会議に集中させることができ、テレビ会議を円滑に行わせることができる。
【００６１】
制御部３００−２は、入力部４００−２に入力された入力操作に応じて、会議端末装置３０の各部を動作させるための制御信号を生成し、会議端末装置３０の各部に制御信号を出力する。制御部３００−２は、他の会議端末装置２０，３２から送信された他の参考資料情報を参考資料情報抽出部２１５−２から取得して参考資料情報格納部５００−２に格納する。
【００６２】
次に、図１に示すテレビ会議システム１００において、主発言者の権限を有する会議端末装置２０が、主発言者の権限を有さない会議端末装置３０，３２に画像信号、音声信号及び参考資料情報を送信する送信シーケンスについて、図５を参照して説明する。図５は、第１の実施形態における主発言者の権限を有する会議端末装置２０から、主発言者の権限を有さない会議端末装置３０，３２への送信シーケンスを説明するシーケンス図である。
【００６３】
図５において、入力部４００からテレビ会議を開始するためのセッション開始通知と参考資料の共有とを要求するための入力操作が入力されると（Ｓ１１）、制御部３００は、参考資料データの取得要求を表す制御信号を参考資料入力Ｉ／Ｆ１１３に出力する（Ｓ１２）。
【００６４】
参考資料入力Ｉ／Ｆ１１３は、制御部３００から出力された制御信号に応じて、参考資料情報の生成を参考資料情報生成部１１５に要求し、参考資料データの資料名称、資料在処、及びテレビ会議における主発言者の権限を有する会議端末装置の各情報を参考資料情報生成部１１５に出力する（Ｓ１３）。
【００６５】
参考資料情報生成部１１５は、参考資料入力Ｉ／Ｆ１１３から出力された参考資料データの資料名称、資料在処、及びテレビ会議における主発言者の権限を有する会議端末装置の各情報を含む参考資料情報ＲＥＦ１（図４参照）を生成して制御部３００及び多重化部１３０に出力し、参考資料情報ＲＥＦ１の多重化処理を多重化部１３０に要求する（Ｓ１４）。多重化部１３０は、参考資料情報ＲＥＦ１の多重化処理の要求を受け付ける（Ｓ１５）。なお、制御部３００は、参考資料情報ＲＥＦ１を、参考資料情報格納部５００に格納する。
【００６６】
また、参考資料情報入力Ｉ／Ｆ１１３は、制御部３００から出力された制御信号に応じて、参考資料データの内容を含む参考資料画像信号の符号化処理を画像エンコーダ１１４に要求する（Ｓ１６）。画像エンコーダ１１４は、参考資料データの内容を含む参考資料画像信号の符号化処理を行い、符号化処理後の参考資料画像信号の多重化処理を多重化部１３０に要求する（Ｓ１７）。多重化部１３０は、符号化処理後の参考資料画像信号の多重化処理の要求を受け付ける（Ｓ１８）。
【００６７】
制御部３００は、会議端末装置２０を用いる主発言者ＵＡの撮像画像信号を取得するために、主発言者ＵＡの撮像画像信号の取得要求を表す制御信号をカメラ画像入力Ｉ／Ｆ１１２に出力する（Ｓ１９）。カメラ画像入力Ｉ／Ｆ１１２は、制御部３００から出力された制御信号に応じて、カメラ１１０の撮像動作を制御し、カメラ１１０から出力された主発言者ＵＡの撮像画像信号を画像エンコーダ１１４に出力し、主発言者ＵＡの撮像画像信号の符号化処理を画像エンコーダ１１４に要求する（Ｓ２０）。画像エンコーダ１１４は、主発言者ＵＡの撮像画像信号の符号化処理を行い、符号化処理後の撮像画像信号の多重化処理を多重化部１３０に要求する（Ｓ２１）。多重化部１３０は、符号化処理後の撮像画像信号の多重化処理の要求を受け付ける（Ｓ２２）。
【００６８】
制御部３００は、会議端末装置２０を用いる主発言者ＵＡの発言音声を取得するために、主発言者ＵＡが参考資料データについて説明している発言音声の音声信号の取得要求を表す制御信号を音声入力Ｉ／Ｆ１２２に出力する（Ｓ２３）。音声入力Ｉ／Ｆ１２２は、制御部３００から出力された制御信号に応じて、マイク１２０から出力された発言音声の音声信号に対して所定の音声信号処理を施し、所定の音声信号処理後の音声信号を音声エンコーダ１２４に出力し、主発言者ＵＡの発言音声の音声信号の符号化処理を音声エンコーダ１２４に要求する（Ｓ２４）。音声エンコーダ１２４は、主発言者ＵＡの発言音声の音声信号の符号化処理を行い、符号化処理後の音声信号の多重化処理を多重化部１３０に要求する（Ｓ２５）。多重化部１３０は、参考資料情報と、参考資料画像信号と、主発言者ＵＡの撮像画像信号と主発言者ＵＡの音声信号とを多重化処理する（Ｓ２６）。
【００６９】
制御部３００は、多重化処理後の信号の他の会議端末装置３０，３２への送信を多重化部１３０に要求する（Ｓ２７）。多重化部１３０は、多重化処理後の信号の他の会議端末装置３０，３２への送信を無線送信部１４０に要求する（Ｓ２８）。無線送信部１４０は、多重化部１３０から出力された多重化処理後の信号を、例えば無線通信用の所定周波数帯の信号に変換して他の会議端末装置３０，３２に送信する。
【００７０】
次に、図１に示すテレビ会議システム１００において、主発言者の権限を有さない会議端末装置３０，３２が、主発言者の権限を有する会議端末装置２０から送信された参考資料情報を受信する受信シーケンスについて、図６を参照して説明する。図６は、第１の実施形態における主発言者の権限を有さない会議端末装置３０，３２における、主発言者の権限を有する会議端末装置２０からの受信シーケンスを説明するシーケンス図である。図６の説明では、会議端末装置３０，３２のうち会議端末装置３０における受信シーケンスを用いて例示的に説明する。
【００７１】
図６において、入力部４００−２からテレビ会議を開始するためのセッション開始通知を要求するための入力操作が入力されると（Ｓ３１）、制御部３００−２は、他の会議端末装置２０，３２から送信された信号の受信要求を表す制御信号を無線受信部２４０−２に出力する（Ｓ３２）。
【００７２】
無線受信部２４０−２は、例えば会議端末装置２０から送信された信号を受信した場合、受信信号を分離部２３０−２に出力し、受信信号の分離処理を分離部２３０−２に要求する（Ｓ３３）。
【００７３】
分離部２３０−２は、会議端末装置２０からの受信信号の分離処理を行い、分離処理の処理結果としての参考資料情報の抽出処理を参考資料情報抽出部２１５に要求する（Ｓ３４）。参考資料情報抽出部２１５−２は、参考資料情報を抽出して制御部３００−２に出力する。
【００７４】
分離部２３０−２は、分離処理の処理結果として得られた画像信号の復号処理を画像デコーダ２１４−２に要求する（Ｓ３５）。画像デコーダ２１４−２は、分離部２３０−２から出力された画像信号を復号処理し、復号処理結果として得られた撮像画像信号と参考資料画像信号とを画像出力Ｉ／Ｆ２１２−２に出力する（Ｓ３６）。
【００７５】
分離部２３０−２は、分離処理の処理結果として得られた音声信号の復号処理を音声デコーダ２２４−２に要求する（Ｓ３７）。音声デコーダ２２４−２は、分離部２３０−２から出力された音声信号を復号処理し、復号処理結果として得られた音声信号を音声出力Ｉ／Ｆ２２２−２に出力する（Ｓ３８）。
【００７６】
制御部３００−２は、オブザーバＵＢの撮像画像信号と、他の会議端末装置２０，３２から送信された撮像画像信号との表示要求を表す制御信号を画像出力Ｉ／Ｆ２１２−２に出力する（Ｓ３９）。画像出力Ｉ／Ｆ２１２−２は、制御部３００−２から出力された制御信号に応じて、参照資料情報格納部５００−２から読み出した参考資料情報を基に、主発言者の権限を有する会議端末装置２０からの撮像画像信号を、他の会議端末装置３０，３２からの撮像画像信号より表示領域を大きくしてディスプレイ２１０−２に表示させる（Ｓ４０、図９参照）。
【００７７】
制御部３００−２は、参考資料画像信号の表示要求を表す制御信号を画像出力Ｉ／Ｆ２１２−２に出力する（Ｓ４１）。画像出力Ｉ／Ｆ２１２−２は、制御部３００−２から出力された制御信号に応じて、ステップＳ３６において復号処理された参考資料画像信号をディスプレイ２１０−２に表示させる（Ｓ４２、図９参照）。
【００７８】
図９は、第１の実施形態における各会議端末装置２０，３０，３２のディスプレイの表示内容の一例を示す図である。各会議端末装置２０，３０，３２のディスプレイでは、表示領域８２０，８３０，８３２，８４０を含む範囲の画面内容が表示されている。
【００７９】
表示領域８２０では、主発言者の権限を有する会議端末装置２０を表すメッセージ８２１と、主発言者ＵＡの顔画像とが表示されている。表示領域８３０では、例えば主発言者の権限を有さない会議端末装置３０を用いるオブザーバＵＢの顔画像が表示されている。同様に、表示領域８３２では、例えば主発言者の権限を有さない会議端末装置３２を用いるオブザーバＵＣの顔画像が表示されている。表示領域８４０では、参考資料データの内容が表示されている。
【００８０】
制御部３００−２は、音声信号の出力要求を表す制御信号を音声出力Ｉ／Ｆ２２２−２に出力する（Ｓ４３）。音声出力Ｉ／Ｆ２２２−２は、制御部３００−２から出力された制御信号に応じて、参照資料情報格納部５００−２から読み出した参考資料情報を基に、主発言者の権限を有する会議端末装置２０からの主発言者ＵＡの発言音声を、他の会議端末装置３２からのオブザーバＵＣの音声信号の音量レベルより相対的に大きく音声出力させる（Ｓ４４）。
【００８１】
次に、図１に示すテレビ会議システム１００において、主発言者の権限を有さない会議端末装置３０，３２が、主発言者の権限を有する会議端末装置２０に画像信号及び音声信号を送信する送信シーケンスについて、図７を参照して説明する。図７は、第１の実施形態における主発言者の権限を有さない会議端末装置３０，３２から、主発言者の権限を有する会議端末装置２０への送信シーケンスを説明するシーケンス図である。図７の説明では、会議端末装置３０，３２のうち会議端末装置３０における送信シーケンスを用いて例示的に説明する。
【００８２】
図７において、入力部４００−２からテレビ会議を開始するためのセッション開始通知を要求するための入力操作が入力されると（Ｓ５１）、制御部３００−２は、会議端末装置３０を用いるオブザーバＵＢの撮像画像信号を取得するために、オブザーバＵＢの撮像画像信号の取得要求を表す制御信号をカメラ画像入力Ｉ／Ｆ１１２−２に出力する（Ｓ５２）。
【００８３】
カメラ画像入力Ｉ／Ｆ１１２−２は、制御部３００−２から出力された制御信号に応じて、カメラ１１０−２の撮像動作を制御し、カメラ１１０−２から出力されたオブザーバＵＢの撮像画像信号を画像エンコーダ１１４−２に出力し、オブザーバＵＢの撮像画像信号の符号化処理を画像エンコーダ１１４−２に要求する（Ｓ５３）。画像エンコーダ１１４−２は、オブザーバＵＢの撮像画像信号の符号化処理を行い、符号化処理後の撮像画像信号の多重化処理を多重化部１３０−２に要求する（Ｓ５４）。多重化部１３０−２は、符号化処理後の撮像画像信号の多重化処理の要求を受け付ける（Ｓ５５）。
【００８４】
制御部３００−２は、会議端末装置３０を用いるオブザーバＵＢの発言音声を取得するために、オブザーバＵＢがテレビ会議の間に話した小言の音声信号の取得要求を表す制御信号を音声入力Ｉ／Ｆ１２２−２に出力する（Ｓ５６）。音声入力Ｉ／Ｆ１２２−２は、制御部３００−２から出力された制御信号に応じて、マイク１２０−２から出力された小言の音声信号に対して所定の音声信号処理を施し、所定の音声信号処理後の音声信号を音声エンコーダ１２４−２に出力し、オブザーバＵＢの小言の音声信号の符号化処理を音声エンコーダ１２４−２に要求する（Ｓ５７）。音声エンコーダ１２４−２は、オブザーバＵＢの音声の音声信号の符号化処理を行い、符号化処理後の音声信号の多重化処理を多重化部１３０に要求する（Ｓ５８）。多重化部１３０は、符号化処理後の音声信号の多重化処理の要求を受け付ける（Ｓ５９）。
【００８５】
制御部３００−２は、符号化処理後のオブザーバＵＢの撮像画像信号と、符号化処理後のオブザーバＵＢの小言の音声信号との多重化処理を多重化部１３０−２に要求する（Ｓ６０）。多重化部１３０−２は、符号化処理後のオブザーバＵＢの撮像画像信号と、符号化処理後のオブザーバＵＢの小言の音声信号との多重化処理を行い、多重化処理後の信号の他の会議端末装置２０への送信を無線送信部１４０−２に要求する（Ｓ６１）。無線送信部１４０−２は、多重化部１３０−２から出力された多重化処理後の信号を、例えば無線通信用の所定周波数帯の信号に変換して他の会議端末装置２０に送信する。
【００８６】
次に、図１に示すテレビ会議システム１００において、主発言者の権限を有する会議端末装置２０が、主発言者の権限を有さない会議端末装置３０，３２から送信された画像信号及び音声信号を受信する受信シーケンスについて、図８を参照して説明する。図８は、第１の実施形態における主発言者の権限を有さない会議端末装置３０，３２における、主発言者の権限を有する会議端末装置２０からの受信シーケンスを説明するシーケンス図である。図８の説明では、会議端末装置３０，３２のうち会議端末装置３０から送信された画像信号及び音声信号の受信シーケンスを用いて例示的に説明する。
【００８７】
図８において、入力部４００からテレビ会議を開始するためのセッション開始通知を要求するための入力操作が入力されると（Ｓ７１）、制御部３００は、他の会議端末装置３０から送信された信号の受信要求を表す制御信号を無線受信部２４０に出力する（Ｓ７２）。
【００８８】
無線受信部２４０は、例えば会議端末装置２０から送信された信号を受信した場合、受信信号を分離部２３０に出力し、受信信号の分離処理を分離部２３０に要求する（Ｓ７３）。
【００８９】
分離部２３０は、会議端末装置２０からの受信信号の分離処理を行い、分離処理の処理結果として得られた画像信号（例えばオブザーバＵＢの撮像画像信号）の復号処理を画像デコーダ２１４に要求する（Ｓ７４）。画像デコーダ２１４は、分離部２３０から出力された画像信号を復号処理し、復号処理結果として得られたオブザーバＵＢの撮像画像信号を画像出力Ｉ／Ｆ２１２に出力する（Ｓ７５）。
【００９０】
分離部２３０は、分離処理の処理結果として得られた音声信号（例えばオブザーバＵＢの小言の音声信号）の復号処理を音声デコーダ２２４に要求する（Ｓ７６）。音声デコーダ２２４は、分離部２３０から出力された音声信号を復号処理し、復号処理結果として得られた音声信号を音声出力Ｉ／Ｆ２２２に出力する（Ｓ７７）。
【００９１】
制御部３００は、主発言者ＵＡの撮像画像信号と、他の会議端末装置３０，３２から送信された撮像画像信号との表示要求を表す制御信号を画像出力Ｉ／Ｆ２１２に出力する（Ｓ７８）。画像出力Ｉ／Ｆ２１２は、制御部３００から出力された制御信号に応じて、参照資料情報格納部５００から読み出した参考資料情報を基に、主発言者の権限を有する会議端末装置２０からの撮像画像信号を、他の会議端末装置３０，３２からの撮像画像信号より表示領域を大きくしてディスプレイ２１０に表示させる（Ｓ７９、図９参照）。
【００９２】
制御部３００は、参考資料画像信号の表示要求を表す制御信号を画像出力Ｉ／Ｆ２１２に出力する（Ｓ８０）。画像出力Ｉ／Ｆ２１２は、制御部３００から出力された制御信号に応じて、参考資料格納部１１１に格納されている参考資料データの内容を含む参考資料画像信号をディスプレイ２１０に表示させる（Ｓ８１、図９参照）。
【００９３】
制御部３００は、音声信号の出力要求を表す制御信号を音声出力Ｉ／Ｆ２２２に出力する（Ｓ８２）。音声出力Ｉ／Ｆ２２２は、制御部３００から出力された制御信号に応じて、参照資料情報格納部５００から読み出した参考資料情報を基に、主発言者の権限を有する会議端末装置２０からの主発言者ＵＡの発言音声を、他の会議端末装置３２からのオブザーバＵＢ，ＵＣの音声信号の音量レベルより相対的に大きく音声出力させる（Ｓ８３）。
【００９４】
以上により、本実施形態のテレビ会議システム１００では、テレビ会議における発表用の参考資料データを参考資料格納部１１１において格納している会議端末装置２０が、主発言者の権限を有する。主発言者の権限を有する会議端末装置２０は、マイク１２０において主発言者ＵＡの発言音声を収音し、参考資料データに応じて、主発言者の権限を有する会議端末装置２０の情報を含む参考資料情報を生成し、主発言者ＵＡの発言音声と撮像画像信号（例えば主発言者ＵＡの顔画像）と参考資料情報とを他の会議端末装置３０，３２に送信する。
【００９５】
会議端末装置３０は、会議端末装置２０から送信された主発言者ＵＡの発言音声の音声信号及び参考資料情報と、他の会議端末装置３２から送信されたオブザーバＵＣの音声信号とを受信する。会議端末装置３０は、参考資料情報を基に、主発言者の権限を有する会議端末装置２０から送信された主発言者ＵＡの発言音声を、他の会議端末装置３２から送信されたオブザーバＵＣの音声信号の音量レベルより大きく音声出力させる。
【００９６】
これにより、テレビ会議システム１００は、ネットワークＮＷを介して接続された少なくとも３個以上の会議端末装置を用いたテレビ会議において、発言行為を行う主発言者ＵＡが用いる会議端末装置２０を簡易に特定でき、主発言者ＵＡの発言音声を、他の会議出席者（例えばオブザーバＵＢ，ＵＣ）からの音声の音量レベルより相対的に大きく音声出力させることができる。従って、テレビ会議システム１００は、主発言者ＵＡではない他の会議出席者（オブザーバＵＢ，ＵＣ）が用いる会議端末装置において、主発言者ＵＡの発言音声を目立つように音声出力させることができるので、主発言者ＵＡの発言音声が他の会議出席者（例えばオブザーバＵＢ，ＵＣ）に伝えられてテレビ会議を円滑に進行させることができる。
【００９７】
更に、本実施形態のテレビ会議システム１００では、主発言者の権限を有さない会議端末装置３０は、他の会議端末装置２０，３２から送信された主発言者ＵＡ，オブザーバＵＣの撮像画像と、会議端末装置３０を用いるオブザーバＵＢの撮像画像とのうち、主発言者ＵＡの撮像画像を、オブザーバＵＢ，ＵＣの撮像画像より大きく表示させる。
【００９８】
これにより、テレビ会議システム１００は、主発言者の権限を有さないオブザーバが用いる会議端末装置３０，３２において、主発言者ＵＡの撮像画像を大きく表示できるので、主発言者ＵＡの発言時における表情をオブザーバＵＢ，ＵＣに認識させ、テレビ会議の臨場感を一層効果的に享受させることができる。
【００９９】
（第２の実施形態）
第２の実施形態では、社外の人に講演等の発表行為を依頼して、複数の拠点間においてテレビ会議を行うシチュエーションを説明する。図１０（Ａ）は、第１の実施形態における主発言者の権限の説明図である。図１０（Ｂ）は、第２の実施形態における主発言者の権限の委譲の説明図である。
【０１００】
第１の実施形態のテレビ会議システム１００では、会議端末装置２０は、テレビ会議における発表用の参考資料データを参考資料格納部１１１に予め格納しているので、主発言者の権限を有する（図１０（Ａ）参照）。
【０１０１】
本実施形態のテレビ会議システム１００Ａでは、会議端末装置２０Ａは、発表用の参考資料データを参考資料格納部１１１において予め格納しているが、発表行為を行う社外の人が用いる会議端末装置（例えば会議端末装置３０）に、主発言者の権限を委譲する。従って、本実施形態では、主発言者の権限の委譲により、社外の人が用いる会議端末装置３０Ａが、新たな主発言者の権限を有する。
【０１０２】
本実施形態の会議端末装置２０Ａ，３０Ａ，３２Ａの内部構成について、図１１を参照して説明する。図１１は、第２の実施形態の会議端末装置２０Ａ，３０Ａ，３２Ａの内部構成の一部を示すブロック図である。図１１では、主発言者の権限を他の会議端末装置（例えば会議端末装置３０）に委譲する会議端末装置２０の内部構成の一例について説明する。
【０１０３】
図１１に示す会議端末装置２０Ａは、カメラ１１０と、参考資料格納部１１１と、カメラ画像入力Ｉ／Ｆ１１２と、参考資料入力Ｉ／Ｆ１１３と、画像エンコーダ１１４と、参考資料情報生成部１１５と、マイク１２０と、音声入力Ｉ／Ｆ１２２と、音声エンコーダ１２４と、多重化部１３０と、無線送信部１４０と、ディスプレイ２１０と、画像出力Ｉ／Ｆ２１２と、画像デコーダ２１４と、参考資料情報抽出部２１５と、スピーカ２２０と、音声出力Ｉ／Ｆ２２２と、音声デコーダ２２４と、分離部２３０と、無線受信部２４０と、制御部３００Ａと、入力部４００とを含む。制御部３００Ａは、参考資料情報格納部５００と、主発言者権限委譲処理部５１０とを含む。
【０１０４】
なお、図１１では、第１の実施形態の会議端末装置２０のカメラ１１０と、参考資料格納部１１１と、カメラ画像入力Ｉ／Ｆ１１２と、参考資料入力Ｉ／Ｆ１１３と、画像エンコーダ１１４と、参考資料情報生成部１１５と、マイク１２０と、音声入力Ｉ／Ｆ１２２と、音声エンコーダ１２４との図示を省略している。
【０１０５】
更に、図１１では、第１の実施形態の会議端末装置２０の各部の構成及び動作と同一のものには同一の符号を付して説明を省略又は簡略化し、異なる内容について説明する。
【０１０６】
主発言者権限委譲処理部５１０は、会議端末装置２０Ａを用いる会議出席者の入力操作に応じて、主発言者の権限を、会議端末装置２０Ａから、会議端末装置２０Ａを除くいずれかの会議端末装置（例えば会議端末装置３０Ａ）に委譲するための委譲処理を行う（図１２参照）。
【０１０７】
図１２は、第２の実施形態において主発言者の権限の委譲元となる会議端末装置２０Ａにおけるディスプレイ２１０の表示内容の一例を示す図である。図１２では、主発言者権限委譲処理部５１０が主発言者の権限を委譲するための委譲処理を行う場合にディスプレイ２１０に表示される画面内容が表示されている。即ち、表示領域９００には、現在の主発言者の権限を有する委譲元として「会議端末装置２０Ａ」が示され、主発言者の権限を有する委譲先として「会議端末装置３０Ａ」が選択された表示領域９１０が示され、実行ボタン９２０とキャンセルボタン９３０とが示されている。
【０１０８】
主発言者権限委譲処理部５１０は、表示領域９００に表示された画面内容において、例えば会議端末装置２０Ａを用いる会議出席者（例えば社外の人に講演を依頼した事務局の人）により、主発言者の権限の委譲先として「会議端末装置３０Ａ」が入力されて実行ボタン９２０が押下されると、主発言者の権限を「会議端末装置３０Ａ」に委譲するための委譲処理を行う。即ち、主発言者権限委譲処理部５１０は、図１３（Ａ）に示す参考資料情報の「主発言者の権限」の内容を、「会議端末装置２０Ａ」から「会議端末装置３０Ａ」に書き換えることで参考資料情報を更新する（図１３（Ｂ）参照）。
【０１０９】
図１３（Ａ）は、第２の実施形態における主発言者の権限の委譲処理前における参考資料情報ＲＥＦ２の内部構成の一例を示す図である。図１３（Ｂ）は、第２の実施形態における主発言者の権限の委譲処理後における参考資料情報ＲＥＦ２’の内部構成の一例を示す図である。図１３（Ａ）に示す参考資料情報ＲＥＦ２は、資料名称と、資料在処と、主発言者の権限を有する会議端末装置と、参考資料データを格納する会議端末装置との各項目に対応する内容として、例えば「０００１．ｐｎｇ」と、「￥Ｄｏｃｕｍｅｎｔ」）と、「会議端末装置２０Ａ」と、「会議端末装置２０Ａ」との各情報を含む。
【０１１０】
図１３（Ｂ）に示す参考資料情報ＲＥＦ２’は、資料名称と、資料在処と、主発言者の権限を有する会議端末装置と、参考資料データを格納する会議端末装置との各項目に対応する内容として、例えば「０００１．ｐｎｇ」と、「￥Ｄｏｃｕｍｅｎｔ」）と、「会議端末装置３０Ａ」と、「会議端末装置２０Ａ」との各情報を含む。
【０１１１】
次に、本実施形態のテレビ会議システム１００Ａにおいて、会議端末装置２０Ａが主発言者の権限を委譲処理した後の他の会議端末装置３０Ａ，３２Ａへの送信手順について、図１４を参照して説明する。図１４は、第２の実施形態における主発言者の権限の委譲元となる会議端末装置２０Ａが、更新した参考資料情報を他の会議端末装置３０Ａ，３２Ａに送信する動作手順を説明するフローチャートである。
【０１１２】
図１４において、主発言者権限委譲処理部５１０は、会議端末装置２０Ａを用いる会議出席者の入力操作により入力された委譲先の会議端末装置、即ち新たな主発言者の権限を有する会議端末装置の名称を取得する（Ｓ９１）。主発言者権限委譲処理部５１０は、参考資料情報格納部５００から該当する参考資料情報を読み出して取得する（Ｓ９２）。例えば、該当する参考資料情報は、参考資料データの資料名称又は資料在処が一致する参考資料情報であり、会議端末装置２０Ａを用いる会議出席者の入力操作により選択される。
【０１１３】
主発言者権限委譲処理部５１０は、ステップＳ９２において取得された参考資料情報の「主発言者の権限」の項目の内容を、例えば「会議端末装置２０Ａ」から「会議端末装置３０Ａ」に書き換えることで参考資料情報ＲＥＦ２を更新し（Ｓ９３）、更新された参考資料情報ＲＥＦ２’を参考資料情報格納部５００Ａに格納する（Ｓ９４）。
【０１１４】
制御部３００Ａは、参考資料情報格納部５００Ａに格納された更新後の参考資料情報ＲＥＦ２’の多重化処理を多重化部１３０に要求し、参考資料情報ＲＥＦ２’を多重化部１３０に出力する。多重化部１３０は、第１の実施形態と同様に多重化処理後の信号を無線送信部１４０に出力する。無線送信部１４０は、多重化部１３０から出力された多重化処理後の信号を、例えば無線通信用の所定周波数帯の信号に変換して他の会議端末装置３０，３２に送信する（Ｓ９５）。
【０１１５】
なお、ステップＳ９５では、会議端末装置２０Ａは、更新後の参考資料情報ＲＥＦ２’を多重化処理せずに、参考資料情報ＲＥＦ２’だけを他の会議端末装置３０Ａ，３２Ａに送信しても良い。
【０１１６】
次に、本実施形態のテレビ会議システム１００Ａにおいて、新たな主発言者の権限を有する会議端末装置３０Ａにおける参考資料情報の受信手順について、図１５を参照して説明する。図１５は、第２の実施形態における主発言者の権限の委譲先となる会議端末装置３０Ａが、委譲元となる会議端末装置２０Ａから送信された参考資料情報を受信する動作手順を説明するフローチャートである。
【０１１７】
図１５において、会議端末装置３０Ａの無線受信部２４０−２は、主発言者の権限の委譲元としての会議端末装置２０Ａからの送信信号を受信する（Ｓ１０１）。無線受信部２４０−２は、受信信号を分離部２３０−２に出力する。分離部２３０−２は、受信信号から更新された参考資料情報ＲＥＦ２’を分離して参考資料情報抽出部２１５−２に出力する（Ｓ１０２）。参考資料情報抽出部２１５−２は、参考資料情報ＲＥＦ２’を抽出して制御部３００−２に出力する。制御部３００−２は、参考資料情報ＲＥＦ２’を参考資料情報格納部５００−２に上書きして格納する（Ｓ１０３）。
【０１１８】
ステップＳ１０３の後、第１の実施形態と同様に、画像出力Ｉ／Ｆ２１２−２は、制御部３００−２から出力された制御信号に応じて、参照資料情報格納部５００−２から読み出した参考資料情報ＲＥＦ２’を基に、新たな主発言者の権限を有する会議端末装置３０Ａからの撮像画像信号を、他の会議端末装置２０Ａ，３２Ａからの撮像画像信号より表示領域を大きくしてディスプレイ２１０−２に表示させる（Ｓ１０４、図１６参照）。
【０１１９】
また、ステップＳ１０４の後、第１の実施形態と同様に、画像出力Ｉ／Ｆ２１２−２は、制御部３００−２から出力された制御信号に応じて、参考資料画像信号をディスプレイ２１０−２に表示させる（図１６参照）。図１６は、第２の実施形態における各会議端末装置２０Ａ，３０Ａ，３２Ａのディスプレイの表示内容の一例を示す図である。各会議端末装置２０，３０，３２のディスプレイでは、表示領域１２３０，１２２０，１２３２，１２４０を含む範囲の画面内容が表示されている。
【０１２０】
表示領域１２３０では、新たな主発言者の権限を有する会議端末装置３０Ａを表すメッセージ１２３１と、新たな主発言者の顔画像とが表示されている。表示領域１２２０では、例えば主発言者の権限を有さなくなった会議端末装置２０Ａを用いる会議出席者の顔画像が表示されている。同様に、表示領域１２３２では、例えば主発言者の権限を有さない会議端末装置３２Ａを用いる会議出席者の顔画像が表示されている。表示領域１２４０では、参考資料データの内容が表示されている。
【０１２１】
更に、ステップＳ１０４の後、第１の実施形態と同様に、音声出力Ｉ／Ｆ２２２−２は、制御部３００−２から出力された制御信号に応じて、参照資料情報格納部５００−２から読み出した参考資料情報ＲＥＦ２’を基に、新たな主発言者の権限を有する会議端末装置３０Ａにより収音された新たな主発言者の発言音声を、他の会議端末装置２０Ａ，３２Ａからの会議出席者の音声信号の音量レベルより相対的に大きく音声出力させる（Ｓ１０５）。
【０１２２】
以上により、本実施形態のテレビ会議システム１００Ａでは、主発言者の権限を有している会議端末装置２０Ａは、他の会議端末装置３０Ａ，３２Ａのいずれかに主発言者の権限を委譲処理し、委譲処理後の会議端末装置３０Ａの情報を含む参考資料情報に更新して他の会議端末装置３０Ａ，３２Ａに送信する。
【０１２３】
新たな主発言者の権限の委譲を受けた会議端末装置３０Ａは、会議端末装置２０Ａから送信された更新後の参考資料情報ＲＥＦ２’を基に、新たな主発言者の発言音声を、他の会議端末装置２０Ａ，３２Ａからの他の会議出席者の音声信号の音量レベルより大きく音声出力させる。
【０１２４】
これにより、テレビ会議システム１００Ａは、例えば社外の人に依頼して講演してもらう場合に、事務局の人が用いる会議端末装置２０Ａから社外の人が用いる会議端末装置３０Ａに主発言者の権限を簡易に委譲できる。従って、テレビ会議システム１００Ａは、新たな主発言者の権限を有する会議端末装置３０Ａを除く他の会議端末装置２０Ａ，３２Ａにおいて、委譲を受けた社外の人が用いる会議端末装置３０Ａから送信された発言音声を、他の会議出席者が用いる会議端末装置２０Ａ，３２Ａから送信された音声の音量レベルより大きく音声出力させることができる。
【０１２５】
また、各々の会議端末装置２０Ａ，３０Ａ，３２Ａは、各々の会議端末装置２０Ａ，３０Ａ，３２Ａにより撮像された撮像画像と、新たな主発言者の権限を有する会議端末装置３０Ａから送信された撮像画像と、他の会議端末装置３２Ａ，２０Ａから送信された撮像画像とのうち、新たな主発言者の権限の委譲を受けた会議端末装置３０Ａからの撮像画像を、他の会議端末装置２０Ａ，３２Ａから送信された撮像画像より大きく表示させる。
【０１２６】
これにより、テレビ会議システム１００Ａは、新たな主発言者の権限を有さない会議出席者（例えばオブザーバ）が用いる会議端末装置２０Ａ，３２Ａにおいて、新たな主発言者の撮像画像を大きく表示できるので、新たな主発言者の発言時における表情を他の会議出席者に認識させ、テレビ会議の臨場感を一層効果的に享受させることができる。
【０１２７】
（第３の実施形態）
例えば、各会社の代表メンバ又はオブザーバがそれぞれ参加する様な複数の会社間のテレビ会議を行うシチュエーションでは、オブザーバの不用意な発言によって、そのオブザーバが在席する社内の重要な営業秘密が他社のメンバに漏れてしまう可能性がある。
【０１２８】
そこで、本実施形態では、参考資料情報は、主発言者の権限の被委譲を禁止する会議端末装置、即ち主発言者の権限を有することが不可な会議端末装置の情報を含む。会議端末装置は、参考資料情報における主発言者の権限の被委譲を禁止する会議端末装置（例えば会議端末装置３２）から送信された音声信号を音声出力させない。
【０１２９】
なお、本実施形態の会議端末装置の構成は、第２の実施形態の会議端末装置と同一であるため、会議端末装置の各部の構成及び動作と同一のものには同一の符号を用いて説明を省略又は簡略化し、異なる内容について説明する。
【０１３０】
図１７は、第３の実施形態における参考資料情報ＲＥＦ３の内部構成の一例を示す図である。図１７に示す参考資料情報ＲＥＦ３は、資料名称と、資料在処と、主発言者の権限を有する会議端末装置と、参考資料データを格納する会議端末装置と、主発言者の権限の被委譲を禁止する対象との各項目に対応する内容として、例えば「０００１．ｐｎｇ」と、「￥Ｄｏｃｕｍｅｎｔ」）と、「会議端末装置３０Ａ」と、「会議端末装置２０Ａ」と、「会議端末装置３２Ａ」の各情報を含む。
【０１３１】
次に、本実施形態のテレビ会議システム１００Ａにおいて、新たな主発言者の権限を有する会議端末装置３０Ａにおける参考資料情報の受信手順について、図１８を参照して説明する。図１８は、第３の実施形態の会議端末装置３０Ａが主発言者の権限の委譲元としての会議端末装置２０Ａから参考資料情報を受信した動作手順を説明するフローチャートである。
【０１３２】
なお、図１８に示すフローチャートにおいて、図１５に示すフローチャートの各動作と同一の動作については同一のステップ番号を付して説明を省略又は簡略化し、異なる内容について説明する。
【０１３３】
図１８において、ステップＳ１０４の後、会議端末装置３０Ａの無線受信部２４０−２が、主発言者の権限の被委譲が禁止された対象である会議端末装置３２Ａからの音声信号を受信していない場合には（Ｓ１１１、ＮＯ）、会議端末装置３０Ａの動作はステップＳ１０５に進み、第２の実施形態と同様である。
【０１３４】
即ち、音声出力Ｉ／Ｆ２２２−２は、制御部３００−２から出力された制御信号に応じて、参考資料情報格納部５００−２から読み出した参考資料情報ＲＥＦ３を基に、新たな主発言者の権限を有する会議端末装置３０Ａにより収音された新たな主発言者の発言音声を、他の会議端末装置２０Ａからの会議出席者の音声信号の音量レベルより相対的に大きく音声出力させる（Ｓ１０５）。
【０１３５】
一方、ステップＳ１０４の後、会議端末装置３０Ａの無線受信部２４０−２が、主発言者の権限の被委譲が禁止された対象である会議端末装置３２Ａからの音声信号を受信した場合には（Ｓ１１１、ＹＥＳ）、会議端末装置３０Ａの動作は先ずステップＳ１１２に進む。
【０１３６】
即ち、音声出力Ｉ／Ｆ２２２−２は、制御部３００−２から出力された制御信号に応じて、参考資料情報格納部５００−２から読み出した参考資料情報ＲＥＦ３を基に、主発言者の権限の被委譲が禁止された対象である会議端末装置３２Ａからの音声信号をミュート処理する（Ｓ１１２）。更に、音声出力Ｉ／Ｆ２２２−２は、ステップＳ１０５の動作を行う。
【０１３７】
以上により、本実施形態のテレビ会議システム１００Ａでは、図１７に示す参考資料情報ＲＥＦ３は、主発言者の権限の被委譲が禁止される会議端末装置３２Ａ、即ち主発言者の権限が委譲されることが禁止される会議端末装置３２の情報を含む。
【０１３８】
各々の会議端末装置２０，３０，３２は、図１７に示す参考資料情報ＲＥＦ３を基に、主発言者の権限の被委譲が禁止された会議端末装置３２Ａから送信された他の会議出席者（例えば社内の営業秘密を知っている役員）の音声信号をミュート処理する。
【０１３９】
これにより、テレビ会議システム１００Ａは、例えば主発言者の権限の被委譲が禁止される会議端末装置３２Ａを用いる会議出席者が社内の営業秘密を知っている役員である場合に、テレビ会議の間に役員が話した営業秘密の内容を含む音声信号を他の会議端末装置において音声出力されないので、会議出席者からの営業秘密等の秘密情報の漏えいを効果的に防ぐことができる。
【０１４０】
以下、上述した本発明に係る会議端末装置の構成、作用及び効果を説明する。
【０１４１】
本発明の一実施形態は、ネットワークを介して接続された少なくとも３個以上の会議端末装置を含み、第１の会議端末装置は、テレビ会議用の参考資料データを格納する参考資料格納部と、前記第１の会議端末装置を用いる主発言者の発言音声を収音する収音部と、前記参考資料データに応じて、前記主発言者の権限を有する会議端末装置の情報を含む参考資料情報を生成する参考資料情報生成部と、収音された前記発言音声の音声信号と生成された前記参考資料情報とを送信する送信部と、を備え、第２の会議端末装置は、送信された前記発言音声の音声信号及び前記参考資料情報と、前記第１の会議端末装置を除く他の会議端末装置から送信された他の会議出席者の音声信号とを受信する受信部と、前記参考資料情報を基に、前記主発言者の権限を有する前記第１の会議端末装置から送信された前記発言音声の音声信号を、前記他の会議端末装置から送信された他の会議出席者の音声信号の音量レベルより大きく音声出力させる音声出力制御部と、を備えるテレビ会議システムである。
【０１４２】
上述した構成のテレビ会議システム１００では、テレビ会議における発表用の参考資料データを参考資料格納部１１１において格納している第１の会議端末装置（例えば会議端末装置２０）が、主発言者の権限を有する。
【０１４３】
主発言者の権限を有する会議端末装置２０は、収音部としてのマイク１２０において主発言者の発言音声を収音し、参考資料データに応じて、主発言者の権限を有する会議端末装置２０の情報を含む参考資料情報を生成し、主発言者の発言音声と参考資料情報とを他の会議端末装置３０，３２に送信する。
【０１４４】
第２の会議端末装置（例えば会議端末装置３０）は、会議端末装置２０から送信された主発言者の発言音声の音声信号及び参考資料情報と、他の会議端末装置（例えば会議端末装置３０）から送信された他の会議出席者（例えばオブザーバ）の音声信号とを受信する。会議端末装置３０は、参考資料情報を基に、主発言者の権限を有する会議端末装置２０から送信された主発言者の発言音声を、他の会議端末装置３０から送信された他の会議出席者（例えばオブザーバ）の音声信号の音量レベルより大きく音声出力させる。
【０１４５】
これにより、テレビ会議システム１００は、ネットワークＮＷを介して接続された少なくとも３個以上の会議端末装置を用いたテレビ会議において、発言行為を行う主発言者が用いる会議端末装置２０を簡易に特定でき、主発言者の発言音声を、他の会議出席者（例えばオブザーバ）からの音声の音量レベルより相対的に大きく音声出力させることができる。従って、テレビ会議システム１００は、主発言者ではない他の会議出席者（オブザーバ）が用いる会議端末装置において、主発言者の発言音声を目立つように音声出力させることができるので、主発言者の発言音声が他の会議出席者（例えばオブザーバ）に伝えられてテレビ会議を円滑に進行させることができる。
【０１４６】
また、本発明の一実施形態は、各々の前記会議端末装置が、各々の前記会議端末装置を用いる各会議出席者の画像を撮像する撮像部を更に備え、撮像された前記各会議出席者の撮像画像信号を送信し、前記第２の会議端末装置が、前記第１の会議端末装置から送信された第１の撮像画像信号と、前記第２の会議端末装置自身により撮像された第２の撮像画像信号と、前記他の会議端末装置から送信された第３の撮像画像信号とのうち、前記主発言者の権限を有する前記第１の会議端末装置から送信された第１の撮像画像信号を、前記第２の撮像画像信号及び前記第３の撮像画像信号より大きく表示させる画像出力制御部を、更に備えるテレビ会議システムである。
【０１４７】
上述した構成では、各々の会議端末装置２０，３０，３２は、各々の会議端末装置２０，３０，３２を用いる各会議出席者の画像（例えば顔画像）を撮像し、他の会議端末装置に送信する。
【０１４８】
主発言者の権限を有さない第２の会議端末装置（例えば会議端末装置３０）は、他の会議端末装置２０，３２から送信された主発言者，他の会議出席者（例えばオブザーバ）の撮像画像と、会議端末装置３０を用いる会議出席者（例えばオブザーバ）の撮像画像とのうち、主発言者の撮像画像を、他の会議出席者の撮像画像より大きく表示させる。
【０１４９】
これにより、テレビ会議システム１００は、主発言者の権限を有さない会議出席者（例えばオブザーバ）が用いる会議端末装置３０，３２において、主発言者の撮像画像を大きく表示できるので、主発言者の発言時における表情を他の会議出席者（例えばオブザーバ）に認識させ、テレビ会議の臨場感を一層効果的に享受させることができる。
【０１５０】
また、本発明の一実施形態は、前記第１の会議端末装置が、前記主発言者の権限を有する会議端末装置を、前記第１の会議端末装置を除くいずれかの会議端末装置に委譲する権限委譲処理部を更に備え、委譲後の前記会議端末装置の情報を含む参考資料情報を送信し、前記第２の会議端末装置は、委譲後の前記会議端末装置の情報を含む参考資料情報を基に、委譲後の前記会議端末装置から送信された新たな主発言者の発言音声を、他の会議端末装置から送信された他の会議出席者の音声信号の音量レベルより大きく音声出力させる、テレビ会議システムである。
【０１５１】
上述した構成では、主発言者の権限を有している第１の会議端末装置（例えば会議端末装置２０Ａ）は、他の会議端末装置３０Ａ，３２Ａのいずれかに主発言者の権限を委譲し、委譲後の会議端末装置（例えば会議端末装置３０Ａ）の情報を含む参考資料情報に更新して他の会議端末装置３０Ａ，３２Ａに送信する。
【０１５２】
主発言者の権限の委譲を受けた第２の会議端末装置（例えば会議端末装置３０Ａ）は、会議端末装置２０Ａから送信された更新後の参考資料情報を基に、新たな主発言者の発言音声を、他の会議端末装置２０Ａ，３２Ａから送信された他の会議出席者（例えばオブザーバ）の音声信号の音量レベルより大きく音声出力させる。
【０１５３】
これにより、テレビ会議システム１００Ａは、例えば社外の人に依頼して講演してもらう場合に、事務局の人が用いる会議端末装置２０Ａから社外の人が用いる会議端末装置３０Ａに主発言者の権限を簡易に委譲できる。従って、テレビ会議システム１００Ａは、新たな主発言者の権限を有する会議端末装置２０Ａを除く他の会議端末装置２０Ａ，３２Ａにおいて、委譲を受けた社外の人が用いる会議端末装置３０Ａから送信された発言音声を、他の会議出席者が用いる会議端末装置２０Ａ，３２Ａから送信された音声の音量レベルより大きく音声出力させることができる。
【０１５４】
また、本発明の一実施形態は、各々の前記会議端末装置が、委譲後の前記会議端末装置から送信された第４の撮像画像信号と、各々の前記会議端末装置自身により撮像された第５の撮像画像信号と、前記他の会議端末装置から送信された第６の撮像画像信号とのうち、前記主発言者の権限を有する会議端末装置の委譲後の前記会議端末装置から送信された前記第４の撮像画像信号を、前記第５の撮像画像信号及び前記第６の撮像画像信号より大きく表示させる、テレビ会議システムである。
【０１５５】
上述した構成では、各々の会議端末装置２０Ａ，３０Ａ，３２Ａは、各々の会議端末装置２０Ａ，３０Ａ，３２Ａにより撮像された撮像画像と、新たな主発言者の権限を有する会議端末装置３０Ａから送信された撮像画像と、他の会議端末装置３２Ａ，２０Ａから送信された撮像画像とのうち、新たな主発言者の権限の委譲を受けた会議端末装置３０Ａから送信された撮像画像を、他の会議端末装置２０Ａ，３２Ａから送信された撮像画像より大きく表示させる。
【０１５６】
これにより、テレビ会議システム１００Ａは、新たな主発言者の権限を有さない会議出席者（例えばオブザーバ）が用いる会議端末装置２０Ａ，３２Ａにおいて、新たな主発言者の撮像画像を大きく表示できるので、新たな主発言者の発言時における表情を他の会議出席者（例えばオブザーバ）に認識させ、テレビ会議の臨場感を一層効果的に享受させることができる。
【０１５７】
また、本発明の一実施形態は、前記参考資料情報が、前記主発言者の権限の被委譲が禁止される会議端末情報の情報、を更に含み、各々の前記会議端末装置が、前記参考資料情報を基に、前記主発言者の権限の被委譲が禁止された会議端末装置から送信された他の会議出席者の音声信号をミュート処理する、テレビ会議システムである。
【０１５８】
上述した構成では、参考資料情報ＲＥＦ３は、主発言者の権限の被委譲が禁止される会議端末装置、即ち主発言者の権限が委譲されることが禁止される会議端末装置（例えば会議端末装置３２Ａ）の情報を含む。
【０１５９】
各々の会議端末装置２０Ａ，３０Ａ，３２Ａは、参考資料情報を基に、主発言者の権限の被委譲が禁止された会議端末装置から送信された他の会議出席者（例えば社内の営業秘密を知っている役員）の音声信号をミュート処理する。
【０１６０】
これにより、テレビ会議システム１００Ａは、例えば主発言者の権限の被委譲が禁止される会議端末装置３２Ａを用いる会議出席者が社内の営業秘密を知っている役員である場合に、テレビ会議の間に役員が話した営業秘密の内容を含む音声信号を他の会議端末装置において音声出力されないので、会議出席者からの営業秘密等の秘密情報の漏えいを効果的に防ぐことができる。
【０１６１】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１６２】
本発明は、ネットワークを介して接続された少なくとも３個以上の会議端末装置を用いたテレビ会議において、主発言者が用いる会議端末装置を簡易に特定し、主発言者の発言音声を、他の会議出席者からの音声の音量レベルより相対的に大きく音声出力させる会議端末装置又は音量調整方法として有用であり、会議端末装置としては例えば携帯電話機、スマートフォン又はタブレット端末が該当する。
【符号の説明】
【０１６３】
２０，３０，３２  会議端末装置
１１０  カメラ
１１１  参考資料格納部
１１２  カメラ画像入力Ｉ／Ｆ
１１３  参考資料入力Ｉ／Ｆ
１１４  画像エンコーダ
１１５  参考資料情報生成部
１２０  マイク
１２２  音声入力Ｉ／Ｆ
１２４  音声エンコーダ
１３０  多重化部
１４０  無線送信部
２１０  ディスプレイ
２１２  画像出力Ｉ／Ｆ
２１４  画像デコーダ
２１５  参考資料情報抽出部
２２０  スピーカ
２２２  音声出力Ｉ／Ｆ
２２４  音声デコーダ
２３０  分離部
２４０  無線受信部
３００  制御部
４００  入力部
５００  参考資料情報格納部
５１０  主発言者権限委譲部
【図１】
2014220649.tif 000003
【図２】
2014220649.tif 000004
【図３】
2014220649.tif 000005
【図４】
2014220649.tif 000006
【図５】
2014220649.tif 000007
【図６】
2014220649.tif 000008
【図７】
2014220649.tif 000009
【図８】
2014220649.tif 000010
【図９】
2014220649.tif 000011
【図１０】
2014220649.tif 000012
【図１１】
2014220649.tif 000013
【図１２】
2014220649.tif 000014
【図１３】
2014220649.tif 000015
【図１４】
2014220649.tif 000016
【図１５】
2014220649.tif 000017
【図１６】
2014220649.tif 000018
【図１７】
2014220649.tif 000019
【図１８】
2014220649.tif 000020